(57)【要約】      （修正有）【課題】種の大きさに応じて一粒ずつ種を選別することを、アダプタの交換によらず、かつ、嵩張らない構造により実現した種蒔き器を提供する。【解決手段】種蒔き器Ｘとして、シートを丸めて両端側を重ねることで円筒状に形成した調整管２０と、前記調整管の前記両端側の重ねる量を異ならせた２以上の状態で保持する調整管内径変更保持部と、前記調整管の上方に設けられる、下部に前記調整管上部に導かれる穴が形成された容器からなる種収容容器１０と、前記調整管の下端に設けられる、使用者の操作によって開閉可能な蓋３０とから構成する。【選択図】図１
0003177734.tif 000002
【実用新案登録請求の範囲】
【請求項１】
シートを丸めて両端側を重ねることで円筒状に形成した調整管と、
前記調整管の前記両端側の重ねる量を異ならせた２以上の状態で保持する調整管内径変更保持部と、
前記調整管の上方に設けられる、下部に前記調整管上部に導かれる穴が形成された容器からなる種収容容器と、
前記調整管の下方を塞ぐ、使用者の操作によって開閉可能な蓋と
を有する種蒔き器。
【請求項２】
前記調整管内径変更保持部は、
前記シートの少なくとも外側に重なる範囲に、調整管を形成したときに周方向に形成されるスリットと、
前記シートの少なくとも外側に重なる範囲の外表面に前記スリットに沿って設けられる２以上の凸部又は凹部からなる被係合部と、
前記シートの内側に重なる範囲の前記スリットに重なる面に設けられる前記スリットから突出する突出部と、
前記突出部の先端側に設けられる前記被係合部に係合する凹部又は凸部を有する係合部とから構成される
請求項１に記載の種蒔き器。
【請求項３】
前記種収容容器は細長い円筒状であり、前記蓋は前記種収容容器の上端に設けられるボタンを押すことで開くように形成される請求項１又は２に記載の種蒔き器。
【考案の詳細な説明】
【技術分野】
【０００１】
本考案は種を収容して所定量ずつ種を排出することで種を蒔く器具に関する。
【背景技術】
【０００２】
種蒔きは、多くの場合、指で種を掴んで蒔くことが多いが、小さい種は指で掴みにくく、取り損なったり、多く掴みすぎたりすることがある。
これに対して、下記特許文献には、種を容器に入れて、レバーなどを操作することで蓋が開いて種が落下するように構成された種蒔き器が示されている。このような種蒔き器を用いると種を指で掴んで蒔く作業を必要としなくなり、作業を確実かつ簡易に行うことができる。
ところで、種は植物の種類に応じて大きさが異なるために、一つの種蒔き器で複数種類の種を蒔けるようにするには、大きさによって一粒ずつ種を選別する機能が必要となる。下記特許文献に記載の考案では、種の大きさに合わせた内径を有するアダプタを交換したり、異なる大きさの穴が並んで空いた板をスライドすることで種の通る穴の大きさを変えたりすることが示されている。
【先行技術文献】
【特許文献】
【０００３】
【特許文献１】特許4855543号公報
【特許文献２】特開2004-261097号公報
【特許文献３】実公昭31-18625号公報
【考案の概要】
【考案が解決しようとする課題】
【０００４】
しかし、アダプタを交換するような構造の場合、交換するアダプタを別の場所に収納しておく必要があり、アダプタを紛失する恐れも多い。また、異なる大きさの穴が空いた板をスライドするようにする場合、板が側方に張り出し嵩張るという問題がある。
本考案は、このような問題に鑑みて、種蒔き器において、種の大きさに応じて一粒ずつ種を選別することを、アダプタの交換によらず、かつ、嵩張らない構造により実現すること課題とする。
【課題を解決するための手段】
【０００５】
上記課題を解決するために、本考案は次のような構成を有する。
請求項１に記載の考案は、シートを丸めて両端側を重ねることで円筒状に形成した調整管と、前記調整管の前記両端側の重ねる量を異ならせた２以上の状態で保持する調整管内径変更保持部と、前記調整管の上方に設けられる、下部に前記調整管上部に導かれる穴が形成された容器からなる種収容容器と、前記調整管の下端に設けられる、使用者の操作によって開閉可能な蓋とを有する種蒔き器である。
請求項２に記載の考案は、前記種蒔き器において、前記調整管内径変更保持部は、前記シートの少なくとも外側に重なる範囲に、調整管を形成したときに周方向に形成されるスリットと、前記シートの少なくとも外側に重なる範囲の外表面に前記スリットに沿って設けられる２以上の凸部又は凹部からなる被係合部と、前記シートの内側に重なる範囲の前記スリットに重なる面に設けられる前記スリットから突出する突出部と、前記突出部の先端側に設けられる前記被係合部に係合する凹部又は凸部を有する係合部とから構成されるものである。
請求項３に記載の考案は、前記種蒔き器において、前記種収容容器は細長い筒状であり、前記蓋は前記種収容容器の上端に設けられるボタンを押すことで開くように形成されるものである。
【考案の効果】
【０００６】
請求項１に記載の考案は、シートを丸めた調整管の丸める量を変えることで、調整管の内径を変えるように構成しているので、アダプタを交換する必要が無く、また、側方に嵩張ることもない。
請求項２に記載の考案は、調整管の内径を変えるための調整管内径変更保持部の構成要素を調整管を構成するシート上に形成することで、調整管内径変更保持部を調整管と一体に、嵩張らないように、形成することができる。
請求項３に記載の考案は、前記種収容容器を細長い筒状とし、種を落とすための蓋を種収容容器の上端に設けられるボタンを押すことで開くようにすることで、シャープペンシルを持つようにもって、親指でボタンを押すことで種を落とすことができるので、持ちやすく操作がしやすい。
【図面の簡単な説明】
【０００７】
【図１】実施形態に係る種蒔き器Ｘの斜視図である。
【図２】実施形態に係る種蒔き器Ｘの縦断面図である。
【図３】（ａ）は調整管ユニットを構成するシート体の平面図であり、（ｂ）は調整管ユニットを構成するシート体の正面図であり、（ｃ）は調整管ユニットを構成するシート体の側面図であり、（ｄ）は調整管ユニットを構成するシート体の背面図である。
【図４】調整管ユニットの斜視図である。
【図５】（ａ）は蓋部近傍を表す一部破断部分拡大斜視図であり、（ｂ）は蓋が開いた状態における蓋部近傍を表す一部破断部分拡大斜視図である。
【図６】調整管ユニットを構成するシート体の変形例を示す背面側の斜視図である。
【考案を実施するための形態】
【０００８】
以下、本考案の実施の形態について、図面を参照しながら説明する。
図１に本実施形態に係る種蒔き器Ｘの斜視図を示し、図２に種蒔き器Ｘの縦断面図を示す。種蒔き器Ｘは、種収容容器１０、調整管ユニット２０、蓋ユニット３０を有する。
種収容容器１０は円筒体であり、下端がロート状に形成されている。種収容容器１０の上端内側には内周面に沿った溝１１が形成され、溝１１の底には圧縮バネ１１ａが固定されている。また、種収容容器１０の側面には後述する蓋ユニット３０を構成する鞘部３１が一体に形成されている。
【０００９】
調整管ユニット２０は、シート体を丸めて円筒状に形成したものであり、種収容容器１０の下端側に固定される。調整管ユニット２０を構成するシート体の平面図を図３（ａ）に、正面図を図３（ｂ）に、側面図を図３（ｃ）に、背面図を図３（ｄ）にそれぞれ示す。当該シート体において、便宜上正面視左側を一端、右側を他端とする。シート体は図３（ｂ）に示すように、略直方形状の薄い可撓性のあるプラスチック製の板体であり、図３（ａ）に示すように一端側から他端側にかけて薄くなるように形成されている。また、図３（ａ）（ｂ）に示すように、正面上方近傍にかまぼこ型の突起を４つ並べた形状を有する被係合ユニット２１が設けられ、当該被係合ユニット２１の下方に一端側が端縁に達する横方向に形成されたスリット２２、２２が互いに一定間隔を置いて設けられている。被係合ユニット２１の突起同士の間に形成される凹部及び被係合ユニット２１の他端側の端が後述する係合部に係合する被係合部を構成する。シート体の背面側のスリット２２、２２の他端寄りに並ぶ位置にはそれぞれスリットと略同じ幅を有する丸棒からなる突出部２３、２３が設けられ、突出部２３、２３の先端には、上下に細長い板からなる押さえ板２４が設けられる。押さえ板２４は上方が被係合ユニット２１の高さと同じくらいの位置に達するように長く形成されており、押さえ板２４の被係合ユニット２１の高さと同じくらいの位置のシート側の面にかまぼこ状の突起からなる係合部２５が設けられている。また、シート体の上縁は図３（ｂ）に示すように一端から他端にかけて下がるように傾斜が形成され、図３（ｃ）に示すように裏面側が傾斜するように面取りが施されている。さらに、図３（ｂ）に示すように正面側の一端寄りに上下方向に溝２６が形成されている。
【００１０】
以上のような構成を有するシート体を正面側が凸になるように丸めてスリット２２、２２の一端側から突出部２３、２３を挿入する。これによって、図４の斜視図に示すように、一端側の一定範囲が外側、他端側の一定範囲が内側になるように重なり、筒状の調整管を形成する。ここで、係合部２５を被係合ユニット２１の突起同士の間に嵌めると、シート体を丸まった状態で固定することができる。被係合ユニット２１の突起は４つあるので突起同士の溝からなる被係合部は３つ形成され、被係合ユニット２１の他端側にも係合部２５は係合できるので、係合部２５を係合させる被係合部をこれらの中から選択することで、一端側と他端側の重なり量が変わり、結果として調整管は４段階に内径を変化させることができる。ここでは、調整管の内径は２ｍｍ、３ｍｍ、４ｍｍ、５ｍｍに変化できるように構成されている。被係合ユニット２１、スリット２２、突出部２３、押さえ板２４、係合部２４は、調整管の一端側と他端側の重ねる量を異ならせた２以上の状態で保持する調整管内径変更保持部を構成する。
シート体は上縁に傾斜が設けられることで、丸めると上縁は内側に向かって下がるような螺旋が形成されるとともに、上縁には内側に下がるような面取りが形成されているので、調整管の上縁に落下する種はすべて中央の穴に向かう。
以上のような構造を有する調整管ユニット２０は、一端側の端縁と溝２６が、後述する鞘部３１に接着されることで、鞘部３１に固定される。
【００１１】
蓋ユニット３０は鞘部３１、押しボタン３２、伝達桿３３、蓋部３４から構成される。鞘部３１は断面コの字状の棒状体であり、上端側は種収容容器１０の側面に長手方向に沿って一体に形成されている。鞘部３１の種収容容器１０の下方側は種収容容器１０側にやや突出しており、突出する両縁の一方に調整管ユニット２０の一端側の端縁が接着され、他方に調整管ユニット２０の溝２６が嵌め入れられて接着されることで、調整管ユニット２０を保持固定している。鞘部３１の下端側は調整管ユニット２０よりもやや下方まで伸び、最下端部に保護リング３１ａが固定されている。押しボタン３２は、偏平な楕円柱状の外観を有し、一端側の下面に種収容容器１０の溝１１に嵌る円筒部３２ａが形成されている。当該円筒部３２ａを種収容容器１０の溝１１に嵌めて他端側を鞘部３１の上方に位置させた状態における鞘部３１と重なる位置の下面には丸棒からなる伝達桿３３が鞘部３１を通ように固定されている。伝達桿３３は先端がくさび状に形成されている。蓋部３４は調整管ユニット２０の下端面を塞ぐように鞘部３１に固定される蓋を構成する。図５（ａ）に蓋部３４近傍を表す一部破断部分拡大斜視図を示す。蓋部３４は円板を中央で２分した蓋本体３４ａ、３４ａと、各蓋本体３４ａ、３４ａを一端側で支持する薄板バネからなる支持板３４ｂ、３４ｂとから構成される。支持板３４ｂ、３４ｂは互いに平行に小さな隙間を空けて、一端側を鞘部３１の内壁に固定されている。蓋本体３４ａ、３４ａは支持板３４ｂ、３４ｂが通常の位置にあるときは、図５（ａ）に示すように互いに接触して円板状になっている。ここで、先端がくさび状になっている伝達桿３３が下がってきて、支持板３４ｂ、３４ｂ同士の間に入ると、支持板３４ｂ、３４ｂは図５（ｂ）に示すように互いに離れるように開き、これに連結する蓋本体３４ａ、３４ａも互いに離れるように移動することとなる。調整管ユニット２０の下端を遮るものがなくなり、調整管ユニット２０の下端が開放されることとなる。
【００１２】
次に、以上のような構成を有する種蒔き器Ｘの使用方法について説明する。まず、使用者は蒔く種の大きさに合わせて、調整管ユニット２０の係合部２５の係合位置を選択し、調整管ユニット２０の内径を適当な大きさに設定する。次に、押しボタン３２を伝達桿３３とともに外して種収容容器１０の上部を開放し、ここから収容容器１０内に種を入れる。その後、押しボタン３２の円筒部３２ａを収容容器１０の溝１１に嵌めるとともに、伝達桿３３を鞘部３１に挿入することで、押しボタン３２を元も状態に戻し、準備作業は完了する。収容容器１０に入った種は調整管ユニット２０の内径が適当であれば、調整管ユニット２０内に一粒ずつ入り、調整管ユニット２０内で一列に並ぶ。
種を蒔く際には、種を蒔く土壌の上で、押しボタン３２を押下する。これにより蓋部３４の蓋本体３４ａ、３４ａが開き、調整管ユニット２０の下方が開放されて種が落下することになる。押しボタン３２を離すと、収容容器１０の溝１１内に設けられた圧縮バネ１１ａにより押しボタン３２は押し上げられ、蓋本体３４ａ、３４ａを支持する支持板３４ｂ、３４ｂを拘束する伝達桿３３も上方に移動するので、支持板３４、３４は弾性によって元の状態にもどり、これにともない蓋本体３４ａ、３４ａも閉じることとなる。押しボタン３２を押して離す動作を短い間隔で行えば種を一つずつ落下させることができ、押しボタン３２を長い時間押しながら種蒔き器Ｘを土壌に沿って移動させることで種を筋状に蒔くことができる。
本実施形態に係る種蒔き器Ｘは、以上のような構成によりアダプタを交換することなく種の大きさに合わせて一粒ずつ種を選別でき、細い管状のまま内径を調節できるので嵩張ることもない。
【００１３】
なお、上記実施形態における調整管ユニットの内径の大きさは例示であり、何段階でどのような大きさの内径を選択するかは適宜変更することができる。また、上記実施形態における、調整管内径変更保持部も調整管の内径が異なった状態で固定できれば種々の変更が可能であり、例えば、締結量を変えることができる締結ベルトで調整管を巻いて固定し、締結量を調節することで調整管の内径を変えるようにするといった方法を用いることもできる。また、上記実施形態における蓋ユニットは例示であり、使用者の操作により蓋が開く構造であれば種々の構造を採用することができる。
さらに、調整管ユニット２０を構成するシート体の背面側に薄いスリーブを設けてもよい。図６にスリーブ２７を設けたシート体の背面側から見た斜視図を示す。スリーブはシート体背面との間に薄い隙間を形成するよう固定された板状体であり、シート体を丸めて調整管ユニット２０を形成する際に、他端側の先端縁をこのスリーブ２７の隙間に差し入れて丸めるようにすると、調整管ユニット２０の内側にスリット２２が表出しないようにすることができる。
【符号の説明】
【００１４】
Ｘ  種蒔き器
１０  種収容容器
２０  調整管ユニット
２１  被係合ユニット
２２  スリット
２３  突出部
２４  押さえ板
２５  係合部
３０  蓋ユニット
３１  鞘部
３２  押しボタン
３３  伝達桿
３４  蓋部
【図１】
0003177734.tif 000003
【図２】
0003177734.tif 000004
【図３】
0003177734.tif 000005
【図４】
0003177734.tif 000006
【図５】
0003177734.tif 000007
【図６】
0003177734.tif 000008